(57)【特許請求の範囲】
【請求項１】
互いに離れて、スライド式ドア(３、４)に固定可能で、夫々がガイドレール(２)上を移動可能な少なくとも１つのローラ(６、８)を有する少なくとも２つのキャリッジ(５、７)を有して、各ローラ(６、８)はホルダ(１１、１２)上を回転可能に取り付けられて、キャリッジ(５、７)の取付け要素(９、１０)に対して垂直に調整可能である嵌合具であって、
自己引込具のハウジング(１３)は少なくとも１つのホルダ(１１、１２)に固定され、
回転可能なボルト(２４)がハウジング(１３)に配備され、クランプするようにホルダ(１１、１２)上に固定された嵌合具。
【請求項２】
前記自己引込具のハウジング(１３)は、２つのキャリッジ(５、７)間に配置された、請求項１に記載の嵌合具。
【請求項３】
前記ハウジング(１３)は、取付け要素(９、１０)に対してホルダ(１１、１２)と共に垂直に調整可能である、請求項１又は２に記載の嵌合具。
【請求項４】
前記ハウジング(１３)は、前記ホルダ(１１、１２)上にツール無しで取付け可能な、請求項１乃至３の何れかに記載の嵌合具。
【請求項５】
前記ハウジング(１３)は、片側がホルダ(１１、１２)に保持され、反対側がスライド式ドアに固定された支持具(１４)に保持された、請求項１乃至４の何れかに記載の嵌合具。
【請求項６】
前記ハウジング(１３)は、支持具(１４)上にて、垂直方向の調整の為に変位可能に保持されている、請求項５に記載の嵌合具。
【請求項７】
ホルダ(１１、１２)と共に移動可能な第１ハウジング部(５５)が前記支持具(１４)に保持され、少なくとも１つの更なる第２ハウジング部(５０、５１)が前記第１ハウジング部(５５)上を変位可能に保持されている、請求項５又は６に記載の嵌合具。
【請求項８】
少なくとも１つの第２ハウジング部(５０、５１)はドライバ(１９)用のガイドを形成し、前記ガイドレール(２)の長手方向に対して垂直方向にのみ調整可能である、請求項７に記載の嵌合具。
【請求項９】
静止した活動体(１７)と係合可能なドライバ(１９)が、自己引込具のハウジング(１３)に対して移動可能に取り付けられる、請求項１乃至８の何れかに記載の嵌合具。
【請求項１０】
前記ドライバ(１９)はバネによって予め張力を架けられ、スライド式ドアの開き動作時に前記活動体(１７)から外れて、ドライバ(１９)は活動体(１７)から独立して移動可能となる、請求項９に記載の嵌合具。
【請求項１１】
前記支持具(１４)から突起(４５)が突出し、水平及び垂直方向に対し斜めに並べられたガイド(４６)に保持される、請求項５又は６に記載の嵌合具。
【請求項１２】
前記自己引込具は、ダンパ、特に線形ダンパを備える、請求項１乃至１１の何れかに記載の嵌合具。
【発明の詳細な説明】
【技術分野】
【０００１】
本発明は、スライド式ドア用の嵌合具に関し、該嵌合具はスライド式ドア上に嵌合可能で互いに離れた少なくとも２つのキャリッジを有し、各キャリッジはガイドレール上を移動可能な少なくとも１つのローラを有し、各ローラはホルダ上に回転可能に取り付けられて、キャッリッジ上の取付け要素に対して高さ調節が可能である。
【背景技術】
【０００２】
ドイツ公開公報102011050394号はスライド式ドア用の嵌合具を開示し、該嵌合具内のホルダはローラを搬送し、スライド式ドア上に固定される取付けプレートに対して変位可能である。この目的から、取付けプレート上に斜めに延びる楕円形の孔が付与されており、該孔はホルダ上のピンが貫通し、ホルダは垂直調節時に垂直及び水平の両方に変位可能である。更に、調節機構内に自己引込具と係合可能な活動体が設けられ、家具本体の上底上に取り付けられる。このタイプの垂直調節機構は、それ自体実績を上げている(proven itself)が、自己引込具は上底上に比較的大きな高層空間を要する。更に、自己引込具のハウジングは外部からアクセス可能で視認できる領域に位置し、目障り(annoying)と知覚される。
【０００３】
従って、本発明の目的は、自己引込具がスライド式ドアの嵌合具のコンパクトな構成内に取り付けられるスライド式ドア用の嵌合具を付与することにある。
この目的は請求項１の各特徴を有する嵌合具によって達成される。有利な実施形態は、従属請求項から生じる。
【発明の概要】
【課題を解決するための手段】
【０００４】
本発明に従って、自己引込具のハウジングはキャリッジの少なくとも１つのホルダ上に固定される。ホルダに隣接する構造空間はこのように自己引込具の為に用いられ、スライド式ドアの嵌合具の空間利用は最適化される。
自己引込具のハウジングは、２つのキャリッジ間、即ち他の方法では用いられない領域間に配置されるのが好ましい。ガイドレールはこのように、自己引込具のハウジングによって更に部分的に保護され、汚れを受けにくくなる。
【０００５】
ハウジングは、取付け要素に対してホルダと共に垂直に調節可能であり、特に水平に対して斜めに変位可能であるのが好ましい。この場合、ハウジングはホルダの片側に保持され、反対側では支持具がスライド式ドア上に固定されている。ハウジングは垂直調整時に支持具上に変位可能に保持され、特にピンが支持具上に突出し、水平及び垂直方向に対し斜めに並べられたガイドに保持される。
【０００６】
取付けの容易性の為に、ハウジングはホルダ上にツール無しで取り付けられる。この目的から、ハウジングは回転可能なボルトを有し、該ボルトはクランプするようにホルダ上に固定可能である。
自己引込具のハウジング上を移動可能なようにドライバが取り付けられるのが好ましく、このドライバは静止した活動体に係合可能であり、例えば活動体はガイドレール上又はガイドレールに隣接して取り付けられる。垂直調整用の調整手順時に、ドライバが活動体に対して変位することを防ぐべく、第１ハウジング部が支持具上を変位可能に保持され、該ハウジング部はホルダと共に移動可能であり、少なくとも１つの更なる第２ハウジング部が、第１ハウジング部上を変位可能に保持され、少なくとも１つの第２ハウジング部はドライバ用のガイドを形成し、ガイドレールの長手方向に直交する垂直方向にのみ調整可能である。
【図面の簡単な説明】
【０００７】
本発明は、添付の図面を参照して代表的な実施形態に基づいて、以下に詳細に説明される。
【図１】図１は、本発明に従った嵌合具の斜視図であり、スライド式ドアの内側を向いた、２つのスライド式ドアを有する。
【図２】図２は、スライド式ドアにおいて図１のスライド式ドア嵌合具を示す図である。
【図３】図３は、図２のスライド式ドア嵌合具を別の位置から見た多面図である。
【図４】図４は、図２のスライド式ドア嵌合具を別の位置から見た多面図である。
【図５】図５は、図２のスライド式ドア嵌合具を別の位置から見た多面図である。
【図６Ａ】図６Aは、自己引込具のハウジングの取り付け時におけるスライド式ドア嵌合具の多面図である。
【図６Ｂ】図６Bは、自己引込具のハウジングの取り付け時におけるスライド式ドア嵌合具の多数の図である。
【図６Ｃ】図６Cは、自己引込具のハウジングの取り付け時におけるスライド式ドア嵌合具の多数の図である。
【図７Ａ】図７Aは、垂直調整時におけるスライド式ドア嵌合具の後側の多数の斜視図を示す。
【図７Ｂ】図７Bは、垂直調整時におけるスライド式ドア嵌合具の後側の多数の斜視図を示す。
【図７Ｃ】図７Cは、垂直調整時におけるスライド式ドア嵌合具の後側の多数の斜視図を示す。
【図８Ａ】図８Aは、１つだけのハウジング部を有するスライド式ドア嵌合具の２つの図を示す。
【図８Ｂ】図８Bは、１つだけのハウジング部を有するスライド式ドア嵌合具の２つの図を示す。
【図９Ａ】図９Aは、第１のハウジング部が無いスライド式ドア嵌合具の自己引込具のハウジングの２つの図を示す。
【図９Ｂ】図９Bは、第１のハウジング部が無いスライド式ドア嵌合具の自己引込具のハウジングの２つの図を示す。
【図１０】図１０は、自己引込具を有するスライド式ドア嵌合具の分解斜視図を示す。
【発明を実施するための形態】
【０００８】
キャビネット家具１の要素上に、上底にガイドレール２が取り付けられ、該レール上に２つのスライド式ドア３、４が移動可能に取り付けられる。前側のスライド式ドア３はこの場合、夫々１つのローラ６を有する２つの離れたキャリッジ５を介して支持される。後側のスライド式ドア４はまた、夫々１つのローラ８を有するキャリッジ７によって移動可能である。
前側のスライド式ドア３のキャリッジ５は、傾いた又はU字形の取付け要素９を有し、両スライド式ドア３、４が重なったときに後側のスライド式ドア４に架かる。各取付け要素９上にホルダ１１が変位可能に取り付けられ、ガイドレール２に対してスライド式ドア３を垂直方向に調整することが出来る。
【０００９】
後側のスライド式ドア４はまた、取付け要素１０を備え、該取付け要素は大凡板形であり、各取付け要素上にはホルダ１２が変位可能に取り付けられ、この場合、後側のスライド式ドア４の垂直調整をも実行することが出来る。
自己引込具のハウジング１３は、１つのホルダ１１に固定され、ホルダ１１から離れて側部に対向する支持具１４上にまた固定される。
【００１０】
前側のスライド式ドア３の嵌合具は、以下に更に詳細に説明され、垂直調整と自己引込具は前側のスライド式ドア３内のように、後側のスライド式ドア４内に機能的に正確に構成される。
図２に示すように、支持具１４はキャリッジ５の２つのホルダ１１間に位置して、大凡U字形の輪郭を有して後側のスライド式ドア４との衝突を避けている。この場合、支持具１４の１つの垂直な脚は、前側のスライド式ドア３の後側に固定され、他の脚は水平に突出してピンとして形成される突起４５を有して、該突起上にハウジング１３が変位可能に保持される。
【００１１】
図３において、スライド式ドア３は開位置で示され、キャリッジ５上でローラ６の隣に配置されたロッド形のストッパ１５が、端部ストッパ１６から離れて位置する。図４に従って、スライド式ドア３は端部位置に動かされ、ストッパ１５が、端部ストッパ１６を抗して押圧する。
【００１２】
図５は、端部位置におけるスライド式ドア３を示し、そこでストッパ１５は端部ストッパ１６を抗して押す。さらに、自己引込具のハウジング１３の下側に活動体１７が配備されることが認識され、該活動体は上向きに突出した突起を有し、固定手段１８を介してガイドレール２上に固定される。活動体１７はハウジング１３上で移動可能に取り付けられたドライバ１９と係合する。この目的のために、対応したガイド経路がハウジング１３上に形成され、ドライバ１９はバネによって予め張力が架けられて、スライド式ドア３を閉方向に動かす。開き動作時に、ドライバ１９は張力が架けられて、張力付けられた位置に格納され、端部部分内に回転した後に、活動体１７がドライバ１９から離れる。更に、ドライバ１９に予め張力を架けるバネに加えて、ダンパが自己引込具のハウジング１３内に配備され、特に閉動作時に閉位置に達する前にスライド式ドア３を減速させる、１以上の線形ダンパが配備される。ホルダ１１上にハウジング１３を取り付けるのにツールが不要であるのが好ましく、ホルダ１１は大凡U字形で  各場合において対向する側壁２２に外向きに開口したスロット２３を有する。ロッド状のボルト２４がこのスロット２３を通って螺合し、図６A及び図６Bに示すように、ハウジング１３上を回転可能に取り付けられる。
ボルト２４をスロット２３を通って螺合した後に、ボルト２４は約９０°回転され、ホルダ１１上の自己引込具のハウジング１３を固定する。対応するキャッチ又はクランプ手段２５がボルト２４上に配備され、ボルト２４の意図しない開きを防ぐ。
【００１３】
図６Cにおいて、自己引込具のハウジング１３がホルダ１１に取り付けられ、ホルダ１１は取付け要素９に対して調整可能に構成される。この目的から、ツールによって回転可能なネジ付きボルト３０が配備され、ネジ付きボルト３０は２つのリング３１を有し、該両リング間に溝が形成され、該溝にホルダ１１の側壁２２が部分的に挿入される。従って、ネジ付きボルト３０はホルダ１１に対して軸方向には変位することが出来ないが、ネジ付きボルト３０用に対応する内部ネジがストッパ１５に形成されているから、ネジ付きボルト３０を回転させることにより、ストッパ１５とローラ６間の水平距離寸法は変更される。
【００１４】
更に、水平軸の回りに回転可能に取り付けられたレバー３５がストッパ１５の回りに形成され、該レバーがガイドレール２上のＴ字形のウエブの背後に係合する点でレバーは吊り出し保護手段を形成する。この場合、レバー３５は開口３６を有し、該開口を通ってストッパ１５が案内され、ストッパ１５及び吊り出し保護手段３５の機能は、コンパクトな構成で実行される。
【００１５】
図７A乃至図７Cにおいて、取付け要素９の垂直脚の後側が示され、該脚に多数の楕円形の孔４０が配置され、孔は水平及び垂直方向に対して斜めに配置される。ホルダ１１上に固定されたピン４１は３つの楕円形の孔４０内にて案内される。更に、垂直な楕円形の孔４２を貫通するピン４１はストッパ１５上に固定される。ネジ付きスリーブ３０を回転することにより、ストッパ１５とローラ６間の距離が調整されるならば、図７B及び図７Cに示すように、ピン４１は斜めの楕円形の孔４０に沿って移動する。ローラ６とストッパ１５間の距離が拡大すると、取付け要素９は低くなり、距離が短くなると、取付け要素９は上昇する。調整機構はドイツ公開公報102011050394号の図３Aから図３Eに示すように構成される。この場合、ホルダ１１とストッパ１５は常に互いに同じ高さを維持する。
【００１６】
自己引込具のハウジング１３は、ストッパ１５から離れて対向するローラ６側のホルダ１１に固定される。この場合、ハウジング１３は多数の部分に形成され、スライド式ドア４に対向した側部に配置された第１ハウジング部５５と、該第１ハウジング部５５に対して変位可能に取り付けられた２つのハウジング部５０、５１を備える。この目的から、水平に長いスロット５２が第１ハウジング部５５に形成され、該スロットにはハウジング部５１に形成されたガイド要素５３が貫通する。
【００１７】
図８A及び図８Bにて、第１ハウジング部５５は取付け位置にて示される。水平方向に対して斜めに並べられたスロット状のガイド４６はローラ６から離れて対向する第１ハウジング部５５の側部に位置し、取付け要素９上を斜めに延びる楕円形の孔４０と大凡同じ傾きを有する。調整手順時に、ホルダ１１が楕円形の孔４０の傾きに対応して変位すれば、第１ハウジング部５５は支持具１４上の突起４５に対して変位し、第１ハウジング部５５は水平方向を離れることなく、斜めを上向き又は下向きに変位する。更に、ガイド４６に拡大した開口部４７が形成され、特に突起４５がマッシュルーム形の外形を有すれば、該開口部を通って突起４５が螺合する。
【００１８】
図９A及び図９Bは、第１ハウジング部５５上に変位可能に取り付けられた２つのハウジング部５０、５１を示す。ガイド要素５３がハウジング部５１上に形成され、該ガイド要素は第１ハウジング部５５上の水平に長いスロット５２を貫通する。この場合、ドライバ１９用のガイド経路がハウジング部５０、５１に形成され、該ガイド経路は下向きに開口した受け入れ部２０を有し、活動体１７の突起が係合する。この場合、ハウジング部５０、５１は回転可能なレバー５４を有するクランプ機構を介して互いに固定される。図７A及び図７Bに示すように、レバー５４の１つはこの場合ピンを有し、該ピンは取付け要素９上の垂直な楕円形の孔４２を部分的に貫通する。これにより、ハウジング部５０、５１がドライバ１９と共に、取付け要素９に対して長手方向に変位することが阻止される。ホルダ１１の調整時に、第１ハウジング部５５のみがネジ付きボルト３０によって、取付け要素９に対してガイドレール２の長手方向に動く。
【００１９】
図１０は、再びハウジングと共に嵌合具を分解図で下側から見た状態を示す。２つの第２ハウジング部５０、５１がユニットを形成し、該ユニットの低い側にドライバ１９用のガイド経路が形成されていることが理解される。更に、バネ及び付随的な１以上のダンパがハウジング部５０、５１に配備される。ハウジング部５０、５１は第１ハウジング部５５上で変位可能に保持され、該第１ハウジング部自体は支持具１４上で変位可能に保持される。調整機構によって、ドライバ１９が静止した活動体１７に対して動かされるリスク無しで、スライド式ドア３がガイドレール２に対して垂直に調整されることが確実になる。何故なら、垂直調整時に、ドライバ１９は取付け要素９に対して、ハウジング部５０、５１と共に長手方向に移動しないからである。
【００２０】
示された実施形態にて、楕円形の孔４０、４２が取付け要素９に形成され、該孔にはピン４１及びレバー５４上のピンが部分的に貫通する。勿論、取付け要素９上に対応するピンを配備することも可能であり、該ピンはホルダ上の楕円形の孔、ストッパ１５、及び第１ハウジング部５５に係合する。更に、他のガイド機構が付与されて、取付け要素９に対してハウジング１３をホルダ１１とともに動かす。
【００２１】
示された実施形態にて、自己引込具の１つだけのハウジング１３がホルダ１１に取り付けられている。勿論、各場合において、両ホルダ１１に自己引込具の１つのハウジング１３を取り付けることが可能であり、スライド式ドア３は反対側の端部位置、即ち閉位置と最大の開き位置に自己引込具を介して対応して移動可能である。更に、キャビネットの場合、１つ又は２つだけのスライド式ドア３、４が配備されるだけでなく、２つを超えるスライド式ドア３、４が配備され得る。
【符号の説明】
【００２２】
１      キャビネット家具
２      ガイドレール
３      スライド式ドア
４      スライド式ドア
５      キャリッジ
６      ローラ
７      キャリッジ
８      ローラ
９      取付け要素
１０    取付け要素
１１    ホルダ
１２    ホルダ
１３    ハウジング
１４    支持具
１５    ストッパ
１６    端部ストッパ
１７    活動体
１８    固定手段
１９    ドライバ
２０    受け入れ部
２２    側壁
２３    スロット
２４    ボルト
２５    クランプ手段
３０    ネジ付きボルト
３１    リング
３５    レバー
３６    開口
４０    楕円形の孔
４１    ピン
４２    楕円形の孔
４５    突起
４６    ガイド
４７    開口部
５０    ハウジング部
５２    楕円形のスロット
５３    ガイド要素
５４    レバー
５５    ハウジング部
【図１】
0006490089.tif 000002
【図２】
0006490089.tif 000003
【図３】
0006490089.tif 000004
【図４】
0006490089.tif 000005
【図５】
0006490089.tif 000006
【図６Ａ】
0006490089.tif 000007
【図６Ｂ】
0006490089.tif 000008
【図６Ｃ】
0006490089.tif 000009
【図７Ａ】
0006490089.tif 000010
【図７Ｂ】
0006490089.tif 000011
【図７Ｃ】
0006490089.tif 000012
【図８Ａ】
0006490089.tif 000013
【図８Ｂ】
0006490089.tif 000014
【図９Ａ】
0006490089.tif 000015
【図９Ｂ】
0006490089.tif 000016
【図１０】
0006490089.tif 000017